(57)【要約】【課題】オーバーシュートセルの自動識別および最適化のためのシステムおよび方法。【解決手段】本願発明の実施形態は、許容範囲の動作可能なユーザ装置（ＵＥ）とタイミングアドバンスを有する少なくとも１つのセルに関連するパラメータを受信することによって、オーバーシュートセルの自動識別および最適化のためのシステムおよび方法に関する。パラメータは許容無効カウント閾値を含み、タイミングアドバンスを、少なくとも１つの動作可能なＵＥを伴う能動的タイミングおよび少なくとも１つのＵＥを伴わない受動的タイミングアドバンスのうちの１つとして識別し、能動的タイミングアドバンスにおける動作可能なＵＥのＵＥカウントおよび受動的タイミングアドバンスにおける無効カウントのうちの少なくとも一方を決定し、動作可能ＵＥの許容範囲でのＵＥカウントおよび許容無効カウント閾値での無効カウントのうちの少なくとも１つを比較することによって、少なくとも１つのセルをオーバーシュートセル（１０２）として識別し、オーバーシュートセル（１０２）の少なくとも１つの送信パラメータを修正する。【選択図】図１Ａ
2019533939.tif 000002
【特許請求の範囲】
【請求項１】
少なくとも１つのオーバーシュートセル（１０２）を自動的に識別し最適化するための方法であって、
少なくとも１つのセルに関連する少なくとも１つのパラメータを受信するステップであって、該少なくとも１つのパラメータは、許容無効カウント閾値および前記少なくとも１つのセル（１０２）のカバレッジエリアに対応する少なくとも１つの送信パラメータを含み、該少なくとも１つのセル（１０２）は少なくとも１つのタイミングアドバンス（ＴＡ）を含み、該少なくとも１つのタイミングアドバンスは、許容範囲の動作可能なユーザ装置を有する、ステップと、
前記少なくとも１つのタイミングアドバンスを、能動的タイミングアドバンスおよび受動的タイミングアドバンスのうちの１つとして識別するステップであって、該能動的タイミングアドバンスは、少なくとも１つの動作可能なユーザ装置を有する前記少なくとも１つのタイミングアドバンスに対応し、該受動的タイミングアドバンスは、少なくとも１つの動作可能なユーザ装置なしの前記少なくとも１つのタイミングアドバンスに対応する、ステップと、
前記能動的タイミングアドバンスにおける前記動作可能なユーザ装置のＵＥカウント、および、前記少なくとも１つのセル（１０２）における前記受動的タイミングアドバンスの無効カウントのうちの少なくとも１つを決定するステップと、
前記少なくとも１つのセル（１０２）を前記少なくとも１つのオーバーシュートセル（１０２）として識別するステップであって、前記少なくとも１つのオーバーシュートセル（１０２）は、動作可能なユーザ装置の前記許容範囲を有する前記能動的タイミングアドバンスにおける前記動作可能なユーザ装置の前記ＵＥカウント、および、許容可能な無効カウント閾値を伴う前記受動的タイミングアドバンスの前記無効カウント、のうちの少なくとも１つの比較に基づいて識別される、ステップと、
前記少なくとも１つのオーバーシュートセル（１０２）の前記カバレッジエリアを変更するために前記少なくとも１つの送信パラメータを修正するステップと、
を含む方法。
【請求項２】
前記少なくとも１つのオーバーシュートセル（１０２）から、良好なオーバーシュートおよび悪いオーバーシュートのうちの１つを識別するステップをさらに含む、請求項１に記載の方法。
【請求項３】
少なくとも１つのセル（１０２）が、前記能動的タイミングアドバンスにおける前記動作可能なユーザ装置の前記ＵＥカウントが、動作可能なユーザ装置の前記許容範囲を超えること、および、前記受動的タイミングアドバンスの前記無効カウントが前記許容無効カウント閾値を超えること、のうちの少なくとも１つのある事象において、前記少なくとも１つのオーバーシュートセル（１０２）として識別される、請求項１に記載の方法。
【請求項４】
前記少なくとも１つのパラメータは、近傍ランク付けデータ、ハンドオーバデータ、干渉情報、位置情報を記録した測定イベントログ、形態タイプ、緯度／経度と方位を含むサイトデータベース、コールトレースレコード、広範囲なドライブテストログファイル、ネットワーク全体のセルデータベース、信号受信品質、および、チャネル品質表示のうちの少なくとも１つを含む、請求項１に記載の方法。
【請求項５】
前記少なくとも１つの送信パラメータは、送電電力値、基準信号電力値、および、前記少なくとも１つのオーバーシュートセル（１０２）の前記カバレッジエリアに対応する傾斜角値のうちの少なくとも１つを含む、請求項１に記載の方法。
【請求項６】
前記許容無効カウント閾値は、シーケンスで発生することが許容される前記受動的タイミングアドバンスの所定のカウントに対応する、請求項１に記載の方法。
【請求項７】
動作可能なユーザ装置の前記許容範囲は、前記少なくとも１つのタイミングアドバンスで動作することを許可されたユーザ装置の所定の数に対応する、請求項１に記載の方法。
【請求項８】
少なくとも１つのセル（１０２）に関連付けられた少なくとも１つのパラメータを受信するように構成される入力ユニット（３０４）であって、該少なくとも１つのパラメータは、許容無効カウント閾値および少なくとも１つのセルのカバレッジエリア（１０２）に対応する少なくとも１つの送信パラメータを含み、該少なくとも１つのセル（１０２）は少なくとも１つのタイミングアドバンスを含み、該少なくとも１つのタイミングアドバンスは、許容範囲の動作可能なユーザ装置を有する、入力ユニットと、
前記少なくとも１つのタイミングアドバンスを、能動的タイミングアドバンスおよび受動的タイミングアドバンスのうちの１つとして識別し、ここで、該能動的タイミングアドバンスは、少なくとも１つの動作可能なユーザ装置を有する前記少なくとも１つのタイミングアドバンスに対応し、該受動的タイミングアドバンスは、少なくとも１つの動作可能なユーザ装置なしの前記少なくとも１つのタイミングアドバンスに対応するものであり、前記能動的タイミングアドバンスにおける前記動作可能なユーザ装置のＵＥカウント、および、前記少なくとも１つのセルにおける前記受動的タイミングアドバンスの無効カウントのうちの少なくとも１つを決定し、前記少なくとも１つのセル（１０２）を前記少なくとも１つのオーバーシュートセルとして識別し、ここで、前記少なくとも１つのオーバーシュートセル（１０２）は、動作可能なユーザ装置の前記許容範囲を有する前記能動的タイミングアドバンスにおける前記動作可能なユーザ装置の前記ＵＥカウント、および、許容可能な無効カウント閾値を伴う前記受動的タイミングアドバンスの前記無効カウントのうちの少なくとも１つの比較に基づいて識別されものであり、前記少なくとも１つのオーバーシュートセル（１０２）の前記カバレッジエリアを変更するために前記少なくとも１つの送信パラメータを修正するように構成される最適化ユニット（３０６）と、
を備える、少なくとも１つのオーバーシュートセル（１０２）の自動識別および訂正／修復のためのシステム。
【請求項９】
前記少なくとも１つの送信パラメータは、前記少なくとも１つのオーバーシュートセル（１０２）の前記カバレッジエリアに対応する送信電力値、基準信号電力値および傾斜角値を含む、請求項８に記載のシステム。
【発明の詳細な説明】
【技術分野】
【０００１】
本願発明の実施形態は、一般に、無線ネットワークに関する。特に、本願発明の実施形態は、無線ネットワークにおけるオーバーシュートセルの自動識別および最適化のためのシステムおよび方法に関する。
【背景技術】
【０００２】
現在のシナリオでは、電気通信事業者は、地理的に異なる場所に複数のセルサイトを展開して、さまざまな音声およびデータ通信サービスをユーザーに提供している。通信事業者によって特定の場所に配置された各セルサイトは、セルサイトによってカバーされる規定された有効範囲範囲内でユーザにサービスを提供する。さらに、過去数年間でユーザー数が急増しているため、音声およびデータの使用需要も増加しており、その結果、高トラフィックを処理するセルサイトがさらに展開されている。さらに、全国に多数のセルサイトが配置されており、それぞれがカバレッジ範囲内のトラフィックを処理しているため、通信事業者は、音声ならびに、データトラフィック、カバレッジ範囲、カバレッジ範囲内の信号強度などの観点から最適なパフォーマンスについて各セルサイトを監視することが重要になる。しかしながら、現時点では、通信事業者は、最適化前ドライブテストおよび最適化後ドライブテストのための複数の現場訪問を含む各セルサイトの性能を測定するためにセルサイトを手動で監視しなければならない。また、電気通信事業者は、セルサイトの最適化のための提案をするために各セルサイトの性能を手動で分析しなければならない。さらに、提案された最適化提案は、受動的監視データ、地理的位置に基づく測定イベントデータ、および、運用支援システム（以下、ＯＳＳと呼ぶ）データのような複数の重要なデータソースを用いることによる統合的な相関能力を欠くドライブテストなどの限られた入力データソースに依存する。
【０００３】
セルサイトの最適化における既存の問題に加えて、他の問題はオーバーシュートセルの最適化である。ここで、オーバーシュートセルは、その送信無線周波数（ＲＦ）信号が、定義されたカバレッジ範囲を超えて伝播し、そのセルによってサービスされることを意図されていないユーザ装置にサービスを提供し、または、隣接する、あるいは、遠方のセルに過度の干渉を引き起こすという結果となるセルである。セルサイトのオーバーシュートは、建物からの反射、開放水域、湖をわたる反射、高地などでの反射など、いくつかの理由で発生する。さらに、オーバーシュートセルの問題は、ネットワーク計画における不適切な設計の結果である。また、オーバーシュートセルの領域内に存在するユーザ装置は、高レベルの干渉、または、頻繁なハンドオーバーなどのために、頻繁なコールドロップまたは低いスループットを被る可能性がある。
【０００４】
さらに、オーバーシュートセルの問題による不均衡なセルカバレージエリアが、低品質のユーザーエクスペリエンスと関連し、運用コストを増加させる。無線ネットワーク内の他のセルよりも著しく大きいオーバーシュートセルは、無線ネットワーク内の他のセルよりも著しく低い信号対雑音比（ＳＮＲ）を提供し、低品質の通信リンクを提供する。同様に、そのようなセルとの通信のために、より高い送信電力レベルおよび紛失パケットの頻繁な再送が必要とされ、したがって、ユーザ装置のバッテリ寿命が短くなり、ネットワークの全体的な容量および性能が低下する。ユーザ装置の設計パラメータは、均一サイズのセル用に構築されており、ユーザ装置がオーバーシューターセルへの通信を確立しなければならない場合、これはより高いコールドロップをもたらす。したがって、オーバーシューターセルに関する事前の知識を用いて、望ましくないカバレッジ範囲の修正は、そのようなエラーの修正のためのレイアウト計画および自動化に役立つ。
【０００５】
そのような状況を改善するための可能な行動は、オーバーシュートセルのカバレッジ範囲を変更すること、および、あるセルの移動性ブラックリスト化を含むことを含む。さらに、そのセルのオーバーシュート基地局を修正すること、および、セルの近傍順位を決定することなどによって、カバレッジエリアを変更するためのある程度の自動化があった。そのような問題に対する既存の手法では、ユーザ装置は、通常、ユーザ装置に物理的に近い、最も高いＲＳＲＰ（Ｒｅｆｅｒｅｎｃｅ  Ｓｉｇｎａｌ  Ｒｅｃｅｉｖｅｄ  Ｐｏｗｅｒ：基準信号受信パワー）またはＲＳＲＱ（Ｒｅｆｅｒｅｓｎｃｅ  Ｓｉｎｇｎａｌ  Ｒｅｃｅｉｖｅｄ  Ｑｕａｌｉｔｙ：基準信号受信品質）値を有するセルサイトとの通信を確立する。通信の品質は、最も近いセルサイトとユーザ装置との間の距離に依存し、信号強度との距離に反比例する。通常、最も近いセルサイトがユーザ装置に近いほど、通信リンクの品質は高くなる。これは、最も近いセルサイトとユーザ装置との間の通信信号が、より短い距離を通過するためである。このように、セルサイトは、無線ネットワーク内の各セルサイトのカバレッジの最適領域を提供するように無線ネットワーク全体に分散されることがある。無線ネットワークのセルサイトがサービスエリア内でより近い状況では、セルサイトの端部と対応する基地局との間の距離は、最も近いセルサイトの端部とその対応する基地局との間の距離と同様である。したがって、ユーザ装置が第１のセルサイトから類似領域の第２のセルサイトへ移行するとき、各基地局との通信条件は十分に類似しているので、通信リンクの品質も類似し、ユーザエクスペリエンス（ユーザー体験）は、セル間の移行中、よりシームレスとなる。
【０００６】
オーバーシュートセルを検出するための他の既存の手法は、無線ネットワークから直接受信されたハンドオーバ統計に基づいて、無線ネットワーク内の複数のユーザ装置間のランク付け近傍関係を提供する。オーバーシュートセルを検出するために純粋に近傍関係のランク付けに頼る他のいくつかの自己最適化ネットワークアプリケーションも存在する。そのような既知の手順の１つは、パイロット電力、仰角ビームステアリング（傾斜）、方位角方向（計画）、および、ビームアンテナ幅（扇形）などの、セルごとの設定の動的調整を通じて無線環境を改善することを目的とする自己最適化ネットワークアプリケーション手順である。しかしながら、そのような既存の手法は、オーバーシュートセルについての事前知識を有し、アプリケーションの実行中にオーバーシュートセルを考慮に入れる必要があるかどうかに関して決定を行う必要がある。また、既存の手法は、オーバーシュートセルを検出および修正するための自動的な手法を提供しない。さらに、既存の手法は、オーバーシュートセルを修正するために、送信および／または受信パラメータに積極的な変更を加えることはしない。
【０００７】
したがって、既存の手法における上記の欠点を考慮して、オーバーシュートセルの送信および／または受信パラメータを積極的に変更することによって、オーバーシュートセルを自動的に検出し、そのようなオーバーシュートセルを最適化することが必要とされている。
【発明の概要】
【０００８】
このセクションは、以下の詳細な説明でさらに説明される本願発明の特定の態様を簡略化した形で紹介するために提供される。この要約は、特許請求の範囲に記載の主題の主要な特徴または範囲を特定することを意図したものではない。
【０００９】
本願発明の実施形態は、少なくとも１つのオーバーシュートセルの自動識別および最適化のための方法に関し、その方法は、少なくとも１つのセルに関連する少なくとも１つのパラメータを受信するステップであって、少なくとも１つのパラメータは、許容無効（ｖｏｉｄ）カウント閾値と、少なくとも１つのセルのカバレージエリアに対応する少なくとも１つの送信パラメータとを含み、少なくとも１つのセルは、少なくとも１つのタイミングアドバンスを備え、少なくとも１つのタイミングアドバンスは、動作可能なユーザ装置の許容範囲を有する、ステップと、少なくとも１つのタイミングアドバンスを能動的タイミングアドバンスおよび受動的タイミングアドバンスのうちの１つとして識別するステップであって、能動的タイミングアドバンスは、少なくとも１つの動作可能なユーザ装置による少なくとも１つのタイミングアドバンスに対応し、受動的タイミングアドバンスは、少なくとも１つの動作可能なユーザ装置のない少なくとも１つのタイミングアドバンスに対応する、ステップと、能動的タイミングアドバンスにおける動作可能なユーザ装置のＵＥカウントおよび少なくとも１つのセルにおける受動的タイミングアドバンスの無効カウントのうちの少なくとも一方を決定するステップと、少なくとも１つのセルを少なくとも１つのオーバーシュートセルとして識別するステップであって、少なくとも１つのオーバーシュートセルは、動作可能なユーザ装置の許容範囲内での能動的タイミングにおける動作可能なユーザ装置のＵＥカウント、および許容可能な無効カウント閾値を有する受動的タイミング中の無効カウント、のうちの少なくとも１つの比較に基づいて識別される、ステップと、少なくとも１つのオーバーシュートセルのカバレッジエリアを変更するために少なくとも１つの送信パラメータを修正するステップと、を含む。
【００１０】
本願発明の実施形態は、少なくとも１つのオーバーシュートセルの自動識別および訂正／修復のためのシステムに関し、このシステムは、少なくとも１つのセルに関連する少なくとも１つのパラメータを受信するように構成された入力ユニットであって、少なくとも１つのパラメータは、許容無効カウント閾値と、少なくとも１つのセルのカバレッジエリアに対応する少なくとも１つの送信パラメータとを含み、この少なくとも１つのセルは、少なくとも１つのタイミングアドバンスを含み、この少なくとも１つのタイミングアドバンスは、動作可能なユーザ装置の許容範囲を有する、入力ユニットと、少なくとも１つのタイミングアドバンスを、能動的タイミングアドバンスおよび受動的タイミングアドバンスのうちの１つとして識別するように構成された最適化ユニットであって、能動的タイミングアドバンスは、少なくとも１つの動作可能なユーザ装置を有する少なくとも１つのタイミングアドバンスに対応し、受動的タイミングアドバンスは、少なくとも１つの動作可能なユーザ装置のない少なくとも１つのタイミングアドバンスに対応し、能動的タイミングアドバンスの動作可能なユーザ装置のＵＥカウントおよび少なくとも１つのセルにおける受動的タイミングアドバンスの無効（ｖｏｉｄ）カウントのうちの少なくとも１つを決定し、動作可能なユーザ装置の許容範囲を有する能動的タイミングアドバンスにおける動作可能なユーザ装置のＵＥカウントおよび許容可能な無効カウント閾値を伴う受動的タイミングアドバンスの無効カウントのうちの少なくとも１つの比較に基づいて少なくとも１つのオーバーシュートセルとしての１つのセルを識別し、少なくとも１つのオーバーシュートセルのカバレッジエリアを変更するために、少なくとも１つの送信パラメータを修正する最適化ユニットと、を備える。
【図面の簡単な説明】
【００１１】
本明細書に組み込まれて本願開示の一部を構成する添付の図面は、開示されている方法およびシステムの例示的な実施形態を示しており、同じ参照番号は異なる図面全体にわたって同じ部分を指す。図面中の構成要素は必ずしも一定の縮尺ではなく、代わりに、本願発明の原理を明確に示すことに重点が置かれている。また、図面に示される実施形態は、本願発明を限定するものとして解釈されるべきではないが、本願発明による方法およびシステムの可能な変形形態は、本願発明の利点を強調するために本明細書に示されている。そのような図面の開示は、そのような構成要素を実装するために一般に使用される電気的構成要素または回路の開示を含むことを当業者は理解する。
【図１Ａ】図１Ａは、本願開示の実施形態による、少なくとも１つのセルを表す例示的なシナリオ［１００Ａ］を示す。
【図１Ｂ】図１Ｂは、本願開示の実施形態による、少なくとも１つのセルを表す別の例示的なシナリオ［１００Ｂ］を示す。
【図２】図２は、本願開示の実施形態による、少なくとも１つのセルに対するタイミングアドバンスの例示的グラフ［２００］を示す。
【図３】図３は、本願開示の実施形態による、少なくとも１つのオーバーシュートセルの自動識別および最適化のためのシステム［３００］を示す。
【図４】図４は、本願発明の実施形態による、少なくとも１つのオーバーシュートセルの自動識別および最適化のための例示的な方法の流れ図［４００］を示す。
【図５】図５は、形態に基づくオーバーシュート識別に関する本願発明の一実施形態による、少なくとも１つのオーバーシュートセルの自動識別および最適化のための例示的な方法の流れ図［５００］を示す。
【図６】図６は、アイランド・オーバーシュート識別に関する本願発明の一実施形態による、少なくとも１つのオーバーシュートセルの自動識別および最適化のための例示的な方法の流れ図［６００］を示す。
【図７】図７は、セル範囲ベースのオーバーシュート計算に関する、本願発明の一実施形態による、少なくとも１つのオーバーシュートセルの自動識別および最適化のための例示的な方法の流れ図［７００］を示す。
【図８】図８は、オーバーシュート識別に基づく地理的位置の測定イベントに関する、本願発明の実施形態による、少なくとも１つのオーバーシュートセルの自動識別および最適化のための例示的な方法の流れ図［８００］を示す。
【図９】図９は、オーバーシュート識別に基づく異なる地理的位置測定イベントに関する、本願発明の一実施形態による、少なくとも１つのオーバーシュートセルの自動識別および最適化のための例示的な方法の流れ図［９００］を示す。
【図１０】図１０は、オーバーシュート識別に基づく地理的位置測定イベントに関する、本願発明の一実施形態による、少なくとも１つのオーバーシュートセルの例示的な地理位置測定データを示す。
【発明を実施するための形態】
【００１２】
以下の記載では、説明の目的で、本願発明の実施形態の完全な理解を提供するために、様々な具体的な詳細が述べられている。しかしながら、本願発明の実施形態はこれらの具体的な詳細がなくても実施され得ることは明らかである。以下に記載されるいくつかの特徴はそれぞれ、互いに独立して、または他の特徴の任意の組み合わせとともに使用され得る。個々の機能は、上記の問題のいずれにも対処できないか、または上記の問題の１つだけに対処することができる。上述した問題のいくつかは、本明細書に記載された特徴のいずれによっても十分に対処されないことがあり得る。本願発明の例示的な実施形態は、様々な図面に示されるように、以下に説明され、図面では、同じ参照番号は、異なる図面全体にわたって同じ部分を指す。
【００１３】
本願発明は、少なくとも１つのオーバーシュートセルを自動的に識別し最適化するためのシステムおよび方法を包含する。少なくとも１つのオーバーシュートセルは、所定のカバレッジ範囲およびオーバーシュート範囲のうちの少なくとも１つにおいて少なくとも１つのユーザ装置にサービスを提供する。
【００１４】
本願発明はさらに、形態オーバーシュート識別、アイランド・オーバーシュートの識別、自動セル範囲ベースのオーバーシュートの識別、オーバーシュート識別に基づく地理的位置の測定イベントのうちの１つを使用して少なくとも１つのオーバーシュートセルを自動的に識別するためのシステムおよび方法を包含する。少なくとも１つのオーバーシュートセルの識別の詳細は、以下に説明される。本願発明はさらに、少なくとも１つのオーバーシュートセルのオーバーシュート範囲を変更するために、少なくとも１つのオーバーシュートセルの１つの伝送パラメータを修正することによって，少なくとも１つのオーバーシュートセルを自動的に最適化するためのシステムおよび方法を包含する。
【００１５】
本明細書で使用されるとき、少なくとも１つのオーバーシュートセルは、無線信号を過剰に伝搬し、および／または、オーバーシュート範囲内、すなわち、所定のカバレッジ範囲を超える少なくとも１つのユーザ装置にサービスを提供するセルである。
【００１６】
本明細書で使用されるとき、少なくとも１つのユーザ装置は、少なくとも１つのオーバーシュートセルにラッチされ、したがって、少なくとも１つのオーバーシュートセルから音声サービスおよびデータサービスを受信するコンピューティング・デバイスである。ユーザ装置は、プロセッサ、ディスプレイ、メモリ、ならびにハードキーパッドおよび／またはソフトキーパッドなどの入力手段を有することができる。ユーザ装置は、携帯電話、タブレット、ウェアラブルデバイス、ファブレット、パーソナルデジタルアシスタント、および、当業者に明らかな任意のそのようなデバイスを含み得るが、しかし、これらに限定されない。
【００１７】
本明細書で使用されるように、所定のカバレッジ範囲は、少なくとも１つのオーバーシュートセルが無線信号を送信するように設計される範囲までの許容距離である。少なくとも１つのオーバーシュートセルの事前定義カバレッジ範囲は、少なくとも１つのオーバーシュートセルの展開前段階および展開後段階のうちの少なくとも１つの間にネットワーク・プランナによって定義され得る。さらに、少なくとも１つのユーザ装置は、所定のカバレッジ範囲内の少なくとも１つのオーバーシュートセルによってサービス提供される。本明細書で使用されるように、オーバーシュート範囲は、少なくとも１つのオーバーシュートセルの無線信号がオーバーして伝搬する所定のカバレッジ範囲を超える拡張距離である。したがって、オーバーシュート範囲内の少なくとも１つのユーザ装置にサービスを提供する。
【００１８】
図１Ａに示すように、本願発明は、本願開示の一実施形態による、少なくとも１つのセルを表す例示的なシナリオ［１００Ａ］を示し、少なくとも１つのセル［１０２］、事前定義済みカバレッジ範囲［１０４］、事前定義済みカバレッジ範囲［１０４］内に存在する第１のセットのユーザ装置［１０４Ａ−１０４Ｇ］、オーバーシュート範囲［１０６］、および、オーバーシュート範囲［１０６］内に存在する第２の組のユーザ装置［１０６Ａ−１０６Ｆ］を表現する。
【００１９】
少なくとも１つのセル［１０２］は、送信機を介して、所定のカバレッジ範囲［１０４］によってカバーされる距離まで伝搬することがある無線信号を空中で送信することができる。さらに、所定のカバレッジ範囲［１０４］内に存在するユーザ装置の第１のセット［１０４Ａ−１０４Ｇ］は、少なくとも１つのセル［１０２］によって送信された無線信号、ならびに音声およびデータサービスを利用することができる。少なくとも１つのセルによって送信された無線信号［１０２］は、また、オーバーシュート範囲［１０６］によってカバーされる延長された距離まで伝搬することがあり得る。さらに、オーバーシュート範囲［１０６］内に存在する第２の組のユーザ装置［１０６Ａ−１０６Ｆ］は、少なくとも１つのセル［１０２］によって送信された無線信号、ならびに音声およびデータサービスを利用することができる。事前定義カバレッジ範囲［１０４］は、展開前段階および展開後段階の少なくとも一方の間にネットワークプランナによって定義され得る。逆に、オーバーシュート範囲［１０６］は、事前定義されたカバレッジ範囲［１０４］、ユーザ装置の密度がより低い遠隔地に存在する様々な障害物、そして、展開前の段階での、ネットワーク計画担当者による定義済みカバレッジ範囲［１０４］の誤った推定の結果であり得る。一実施形態では、少なくとも１つのセル［１０２］は、所定のカバレッジ範囲［１０４］のみを有し、オーバーシュート範囲［１０６］を有しない。他の実施形態では、少なくとも１つのセル［１０２］は、事前定義済みカバレッジ範囲［１０４］とオーバーシュート範囲［１０６］の両方を有することができる。
【００２０】
図１Ａの例示的なシナリオに示されるように、少なくとも１つのセル［１０２］の所定のカバレッジ範囲［１０４］は、２つのタイミングアドバンス、すなわち、［ＴＡ１］および［ＴＡ２］を有する。一方、オーバーシュート範囲［１０６］が１つのタイミングアドバンス［ＴＡ３］を有する。各タイミングアドバンス［ＴＡ］は、所定のカバレッジ範囲［１０４］およびオーバーシュート範囲［１０６］のうちの１つの領域をカバーする少なくとも１つのセル［１０２］からの距離に対応する。一例として、例示的な図１から分かるように、タイミングアドバンス［ＴＡ１］は、所定のカバレッジ範囲［１０４］内の少なくとも１つのセル［１０２］から（ｘ）メートルの距離をカバーする。タイミングアドバンス［ＴＡ２］は、所定のカバレッジ範囲［１０４］内の少なくとも１つのセル［１０２］から（ｙ＋ｘ）メートルの距離をカバーする。タイミングアドバンス［ＴＡ３］は、オーバーシュート範囲［１０６］内の少なくとも１つのセル［１０２］から（ｚ＋ｙ＋ｘ）メートルの距離をカバーする。さらに、タイミングアドバンス［ＴＡ１］、［ＴＡ２］および［ＴＡ３］のそれぞれは、所定のカバレッジ範囲［１０４］およびオーバーシュート範囲［１０６］のうちの少なくとも１つの中で連続して（シーケンスで）起こり得る。タイミングアドバンスデータは、基地局またはｅＮｏｄｅＢ、トレースポートから、あるいはプローブ、ドライブテストまたは他の任意のデータソースから利用可能であり得る。一実施形態では、事前定義されたカバレッジ範囲［１０４］は、１つのＴＡ＝１６＊Ｔｓ（Ｔｓは３ＧＰＰ規格、ＴＳ３６．１１２に定義されているような基本的なタイミング単位であり得る）にしたがう、少なくとも１つのタイミングアドバンスに基づいて計算することができる。ここで、Ｔｓ＝３２．５５μｓ光速、Ｃ＝３×１０８ｍ／ｓまたは０．３Ｋｍ／μｓである。
【００２１】
したがって、１ＴＡ区間内の走行距離＝（１６×３２．５５×（０．３）＝１５６．２４ｍ、すなわち０．１５６Ｋｍ）となる。それによって、少なくとも１つのセル［１０２］とユーザ装置との間の一方向の距離＝１５６．２４／２＝７８．１２ｍまたは０．０７８Ｋｍである。更に、図１Ａからわかるように、一度に、１つ以上のユーザ装置が、少なくとも１つのセル［１０２］のタイミングアドバンス［ＴＡ１、ＴＡ２、ＴＡ３］のそれぞれにおいて動作し得る。ユーザ装置の第１のセット［１０４Ａ−１０４Ｇ］は、事前定義のカバレッジ範囲［１０４］のタイミングアドバンス［ＴＡ１、ＴＡ２］において動作可能であり得る。第２の組のユーザ装置［１０６Ａ−１０６Ｆ］は、オーバーシュート範囲［１０６］のタイミングアドバンス［ＴＡ３］において動作可能であり得、タイミングアドバンス［ＴＡ１、ＴＡ２］において合計７つの動作可能なユーザ装置［１０４Ａー１０４Ｇ］、［ＴＡ３］において、タイミングアドバンスにおける合計６つの動作可能なユーザ装置［１０６Ａ−１０６Ｆ］をもたらす。１つ以上のユーザ装置が動作している場合のそのようなタイミングアドバンスは、能動的タイミングアドバンスと呼ばれる。あるいは、いずれの場合にも、タイミングアドバンス［ＴＡ１、ＴＡ２、ＴＡ３］のいずれにおいても、ユーザ装置が動作していない、および／または、存在していない可能性がある。ゼロの／無の／比較的少ない数のユーザ装置が動作している場合のそのようなタイミングアドバンスは、受動的タイミングアドバンスと呼ばれ、それによって無効な受動的タイミングアドバンスとしてカウントされ得る。
【００２２】
さらに、少なくとも１つのセル［１０２］のタイミングアドバンス［ＴＡ１、ＴＡ２、ＴＡ３］のそれぞれは、動作可能なユーザ装置の許容範囲および許容無効カウント閾値のうちの１つに対応する。動作可能なユーザ装置の許容範囲は、少なくとも１つのタイミングアドバンス［ＴＡ１、ＴＡ２、ＴＡ３］で動作することを許可されているユーザ装置の所定の数に対応する。許容無効カウント閾値は、シーケンスで発生することが許容される受動的タイミングアドバンスの所定のカウントに対応する。さらに、ユーザ装置の事前定義された数および受動タイミングアドバンスの事前定義された数は、少なくとも１つのセル［１０２］の展開前段階および展開後段階のうちの１つの間にネットワークプランナによって定義されることができる。そして、トラフィックを処理する容量、カバレッジ範囲［１０４、１０６］、および少なくとも１つのセルの送信電力［１０２］などの様々な要因に依存し得る。
【００２３】
図１Ｂに示すように、本願発明は、所定のカバレッジ範囲［１０４］内で動作可能な第１のセットのユーザ装置［１０４Ａ−１０４Ｇ］、オーバーシュート範囲［１０６］内で動作する第２の組のユーザ装置［１０６Ａ−１０６Ｆ］、および、オーバーシュート範囲［１０６］内で動作する第３の組のユーザ装置［１０８Ａ−１０８Ｉ］を有する少なくとも１つのセル［１０２］を表す別の例示的なシナリオ［１００Ｂ］を示す。さらに、図１Ｂの別の例示的なシナリオに見られるように、少なくとも１つのセル［１０２］の事前定義されたカバレッジ範囲［１０４］は、２つのタイミングアドバンス、すなわち動作可能なユーザ装置の第１のセットをともなう［ＴＡ１］および［ＴＡ２］を有する。一方、オーバーシュート範囲［１０６］は４つのタイミングアドバンス［ＴＡ３−ＴＡ６］を有するが、［ＴＡ３］および［ＴＡ６］は第２の組の動作可能なユーザ装置［１０６Ａ−１０６Ｆ］を有することができる。一方、［ＴＡ４］および［ＴＡ５］は、その中にいかなる動作ユーザ装置も有していなくてもよい、すなわち動作可能ユーザ装置が無し／ゼロであってもよい。それによって、［ＴＡ１］、［ＴＡ２］、［ＴＡ３］および［ＴＡ６］は、動作可能なユーザ装置の存在のために能動的タイミングアドバンスとして参照することができ、［ＴＡ４］および［ＴＡ５］は、動作可能なユーザ装置が存在しないために受動的なタイミングが進むことを指すことができる。さらに、別の例示的なシナリオ［１００Ｂ］は、いくつかの能動的タイミングアドバンス［ＴＡ１−ＴＡ３、ＴＡ６］の間に、いくつかの受動的タイミングアドバンス［ＴＡ４−ＴＡ５］が生じることがあり得る。
【００２４】
図２に示されるように、本願発明は、本願開示の実施形態による、少なくとも１つのセル［１０２］に対するタイミングアドバンスの例示的グラフ［２００］を示す。例示的なグラフ［２００］は、ｘ軸にタイミングアドバンス［ＴＡ１ーＴＡ２１］を表し、ｙ軸に動作可能なユーザ装置の数を表す。図２の例示的グラフ［２００］に見られるように、ＴＡ１は１つの動作可能なユーザ装置の数を有し、ＴＡ２は１００個の動作可能なユーザ装置の数を有し、ＴＡ３は２００個の動作可能なユーザ装置の数を有する。ＴＡ４は、およそ４００個の動作可能なユーザ装置の数を有し、ＴＡ５は、およそ６００個の動作可能なユーザ装置の数を有し、そしてＴＡ６は、およそ１００個の動作可能なユーザ装置を有する。しかしながら、ＴＡ７からＴＡ１６まで、ゼロ動作状態のユーザ装置の数が報告されている。それによって、ＴＡ１からＴＡ６は、ユーザ装置がそのようなタイミングアドバンスにおいて動作しているので、能動的タイミングアドバンスとして識別されている。ＴＡ７からＴＡ１６は、これらのタイミングアドバンスにおいてユーザ装置が動作していないので、受動的タイミングアドバンスとして識別されており、したがって、受動的タイミングアドバンスの１０連続無効としてカウントされる。各タイミングアドバンスにおける動作可能なユーザ装置のこのような測定値および少なくとも１つのセル［１０２］の他のパラメータに基づいて、少なくとも１つのセル［１０２］は、オーバーシュートセルとして自動的に識別され得る。少なくとも１つのセル［１０２］がどのようにしてオーバーシュートセルとして自動的に識別されることができるかについての詳細が、以下に説明される。
【００２５】
図３に示すように、本願発明は、少なくとも１つのオーバーシュートセルの自動識別および最適化のための例示的なシステム［３００］を示す。本願開示の一実施形態によれば、システム［３００］は、入力ユニット［３０４］および最適化ユニット［３０６］を備える。
【００２６】
入力ユニット［３０４］は、ネットワークデータベースパラメータ［３０２Ａ］、ＯＳＳパラメータ［３０２Ｂ］、セルサイトパラメータ［３０２Ｃ］、プローブパラメータ［３０２Ｄ］、およびユーザ装置パラメータ［３０２Ｅ］のうちの少なくとも１つを受け取るように構成され得る。ネットワークデータベースパラメータ［３０２Ａ］は、少なくとも１つのセル［１０２］に対応するサービスエリア情報の少なくとも１つのヒートマップを含む。ここで、少なくとも１つのヒートマップは、測定された無線周波数（ＲＦ）強度および／または品質値に対応する。セルサイトパラメータ［３０２Ｃ］は、トレースポートに対応する情報を含み、トレースポート情報は、少なくとも１つのセル［１０２］／ｅｎｏｄｅＢから受信したログおよび性能測定値に対応する。さらに、セルパラメータｌｏｇ／ＫＰＩ［３０２Ｃ］およびプローブパラメータ［３０２Ｄ］のうちの少なくとも１つは、ｌｏｇおよびＫＰＩのうちの少なくとも１つを含む。ここで、プローブパラメータは、受信電力を基準信号（以下、ＲＳＲＰと呼ぶ）、基準信号受信品質（以下、ＲＳＲＱと称する）、信号対干渉雑音比（以下、ＳＩＮＲと称する）、チャネル品質指標（以下、ＣＱＩと称する）、ハンドオーバ、ハンドオーバ率、ハンドオーバ成功率、ＲＲＣ再確立、およびセルスループットに関する情報に対応する。また、ユーザ装置パラメータ［３０２Ｅ］は、動作可能なユーザ装置の地理的位置情報と共に、動作可能なユーザ装置の報告に対応する情報を含む。入力ユニットはさらに、動作可能なユーザ装置の許容範囲、許容無効カウント閾値、タイミングアドバンスの合計、近傍ランキングデータ、ハンドオーバデータ、干渉情報、形態タイプ、緯度／経度および方位角を有するサイトデータベース、コールトレースレコード、広範囲なドライブテストログファイル、信号受信品質、チャネル品質表示、所定のカバレッジ範囲［１０２］、オーバーシュート範囲［１０６］、および少なくとも１つのセルに関連付けられた少なくとも１つの送信パラメータ［１０２］のうちの少なくとも１つを受信するように構成されることができる。送信パラメータは、少なくとも１つのセル［１０２］に関連付けられた送信電力値、基準信号電力値、および傾斜角値のうちの少なくとも１つを含み得る。さらに、そのようなパラメータは、少なくとも１つのセル［１０２］、ｅｎｏｄｅＢ、ＮｏｄｅＢのうちの少なくとも１つから、システム内の自動更新および手動更新のうちの１つを介して入力ユニット［３０４］によって受信され得る。
【００２７】
入力ユニット［３０４］がそのようなパラメータを受け取ると、入力ユニット［３０４］はさらに、少なくとも１つのオーバーシュートセルを自動的に識別するためにこれらのパラメータを最適化ユニット［３０６］に送信することができる。ここで、少なくとも１つのオーバーシュートセルは、少なくとも１つのセル［１０２］がオーバーシュートセルであるか否かを判定することによって識別される。最適化ユニット［３０６］は、少なくとも１つのタイミングアドバンスを最初に能動的タイミングアドバンスおよび受動的タイミングアドバンスの一方として識別するように構成されることができる。ここで、能動的タイミングアドバンスは、１つ以上のユーザ装置が動作しているタイミングアドバンスに対応し、受動的タイミングアドバンスは、ユーザ装置が動作していないタイミングアドバンスに対応する。例えば、図２の例示的なグラフから、ＴＡ１からＴＡ６は能動的タイミングアドバンスとして識別され、ＴＡ７からＴＡ１６は受動的タイミングアドバンスとして識別されることができる。
【００２８】
最適化ユニット［３０６］は、少なくとも１つのタイミングアドバンスを能動的タイミングアドバンスおよび受動的タイミングアドバンスのうちの１つとして識別した後、能動的タイミングアドバンスにおける動作可能なユーザ装置の合計および受動的タイミングアドバンス中の無効（すなわち、動作していないユーザ装置）の合計を決定するようにさらに構成され得る。図２の例示的なグラフからの同じ例にしたがって、ＴＡ１は１つの動作可能なユーザ装置の数を有し、ＴＡ２は１００個の動作可能なユーザ装置の数を有し、ＴＡ３は２００個の動作可能なユーザ装置の数を有する。ＴＡ４は、およそ４００個の動作可能なユーザ装置の数を有し、ＴＡ５は、およそ６００個の動作可能なユーザ装置の数を有し、そしてＴＡ６は、およそ１００個の動作可能なユーザ装置を有する。そして、ＴＡ７からＴＡ１６まで、ゼロ動作状態のユーザ装置の数、すなわち合計１０個の連続無効数が報告されている可能性がある。
【００２９】
最適化ユニット［３０６］が各タイミングアドバンスにおいて動作可能なユーザ装置をカウントした後、最適化ユニット［３０６］は、能動的タイミングアドバンスにおける動作可能なユーザ装置の合計の少なくとも１つを動作可能なユーザ装置の許容範囲と比較することができる。また、受動的タイミングにおける無効（すなわち、動作していないユーザ装置）の合計は、許容無効数閾値を超えて進む。図２の例示的なグラフからの同じ例によれば、ＴＡ１からＴＡ４は少なくとも１つのセルの事前定義されたカバレッジ範囲［１０４］に存在し、ＴＡ５からＴＡ２１は、少なくとも１つのセル［１０２］のオーバーシュート範囲［１０６］に存在し得る。最適化ユニットは、オーバーシュート範囲内にあるタイミングアドバンスの動作可能なユーザ装置の合計［ＴＡ５−ＴＡ６］（すなわち、ＴＡ５からは６００個、ＴＡ６からは１００個として、合計７００個の動作可能なユーザ装置）を動作可能なユーザ装置の許容範囲（一例では４００と見なされ得る）と比較することができる。同様に、最適化ユニットは、オーバーシュート範囲内の全無効数（すなわち１０）［１０６］を許容無効数閾値と比較することができる（一例では、５と見なすことができる）。
【００３０】
最適化ユニット［３０６］が、動作可能なユーザ装置の合計と動作可能なユーザ装置の許容範囲との合計数と、無効の合計とを許容無効数閾値と比較した後、動作可能なユーザ装置の合計の少なくとも１つが許容範囲を超える／下回り、動作可能なユーザ装置の数および無効の合計が許容無効数閾値を上回る／下回る場合、最適化ユニット［３０６］は、さらに、少なくとも１つのセル［１０２］を少なくとも１つのオーバーシュートセルとして識別することができる。考慮される例では、７００個の動作可能なユーザ装置の合計が４００個の動作可能なユーザ装置の許容範囲を超えるので、少なくとも１つのセル［１０２］を少なくとも１つのオーバーシュートセルとして識別することができる。同様に、合計１０個の無効数は、５の許容無効数閾値を超えているため、少なくとも１つのセル［１０２］をオーバーシュートセルと見なす。
【００３１】
最適化ユニット［３０６］が少なくとも１つのセル［１０２］を少なくとも１つのオーバーシュートセル［１０２］として識別すると、最適化ユニット［３０６］は、少なくとも１つのオーバーシュートセル［１０２］がデータベースに格納されている望ましい／良好なオーバーシュートセルのリストと比較することによって、少なくとも１つのオーバーシュートセル［１０２］が望ましい／良いオーバーシュートセルまたは望ましくない／悪いオーバーシュートセルであるかどうかを決定することができる。ある場合には、少なくとも１つのオーバーシュートセル［１０２］は、望ましい／良好なオーバーシュートセルとして決定する。最適化ユニット［３０６］は、ネットワーク・プランナに通知することができ、少なくとも１つのオーバーシュートセル［１０６］の少なくとも１つの送信パラメータを修正しなくてもよい。さらに、望まれる／良好なオーバーシュートセルは、サービスをユーザに提供するために他の隣接セルのカバレージエリア内の様々なホールをカバーするためにネットワークプランナによって意図的に配置され得る。また、カバレッジホールは、特定の領域が限られた数のユーザ装置を有することがあるときに考慮されることができる。
【００３２】
ある場合には、少なくとも１つのオーバーシュートセル［１０２］は、望まれない／悪いオーバーシュートセルに対応し、最適化ユニット［３０６］は、少なくとも１つのオーバーシュートセル［１０６］のカバレッジエリア［１０４、１０６］を変更するために、少なくとも１つの送信パラメータを修正することができる。送信パラメータは、少なくとも１つのオーバーシュートセル［１０２］のカバレッジ範囲［１０４、１０６］に対応する、送信電力値、基準信号電力値、および電気傾斜角値のうちの少なくとも１つを含む。最適化ユニット［３０６］は、式ＥＴｉｌｔにおけるデルタ＝−（ＡＴＡＮ（（Ｈ１−Ｈ２）／ＯＤ）−ＡＴＡＮ（（Ｈ１−Ｈ２）／ＣＲ））を使用することによって、少なくとも１つのセル［１０２］の電気的傾斜角の値における修正を計算することができる。ここでＨ１は少なくとも１つのオーバーシュートセル［１０２］の送信機の高さであり得る、Ｈ２は、少なくとも１つのオーバーシュートセル［１０２］の受信機の高さであり得る。ＯＤはオーバーシュート範囲［１０６］であり得、ＣＲは提案されたカバレッジ変更であり得る。さらに、特に、カバレッジが密集した都市環境でのシナリオにオーバーラップする場合には、基準信号送信電力の低減は、少なくとも１つのオーバーシュートセル［１０２］のカバレッジ範囲［１０４、１０６］を制御するための最適化の別の方法として使用され得る。
【００３３】
本願発明の実施形態によれば、図４に示すように、本願発明は、少なくとも１つのオーバーシュートセル［１０２］の自動識別および最適化のための例示的な方法の流れ図［４００］を示す。本願方法のフローはステップ４０２で開始する。
【００３４】
ステップ４０４において、本願方法の流れ図［４００］は、少なくとも１つのセル［１０２］に対応するカバレッジエリア情報の少なくとも１つのヒートマップのうちの少なくとも１つを含むネットワークデータベースパラメータ［３０２Ａ］、セルパラメータｌｏｇｓ／ＫＰＩのうちの少なくとも１つ、トレースポートに対応する情報を含むセルサイトパラメータ［３０２Ｃ］、ログおよびＫＰＩのうちの少なくとも１つを含むプローブパラメータ［３０２Ｄ］、および、ジオポジショニング情報とともに、動作可能なユーザ装置の報告に対応する情報を含むユーザ装置パラメータ［３０２Ｅ］のうちの少なくとも１つを受け取ることができる。入力ユニットはさらに、動作可能なユーザ装置の許容範囲、許容無効カウント閾値、タイミングアドバンスの合計、近傍ランキングデータ、ハンドオーバデータ、干渉情報、形態タイプ、緯度／経度と方位を含むサイトデータベース、コールトレースレコード、広範囲なドライブテストログファイル信号受信品質、チャネル品質指示、事前定義カバレッジ範囲［１０２］、オーバーシュート範囲［１０６］、および、少なくとも１つのセルに関連する少なくとも１つの送信パラメータ［１０２］のうちの少なくとも１つを受信するように構成されることができる。
【００３５】
ステップ４０６において、本願方法の流れ図［４００］は、少なくとも１つのセル［１０２］／ｅｎｏｄｅＢから少なくとも１つの受信したパラメータに基づいて、少なくとも１つのパラメータを受信することができ、本願方法の流れ図［４００］は、少なくとも１つのタイミングアドバンスを能動的タイミングアドバンスおよび受動的タイミングアドバンスの一方として識別する。ここで、能動的タイミングアドバンスは、１つ以上のユーザ装置が動作しているタイミングアドバンスに対応し、受動タイミングアドバンスは、ユーザ装置が動作していないタイミングアドバンスに対応する。例えば、図２の例示的なグラフから、ＴＡ１からＴＡ６は能動的タイミングアドバンスとして識別され、ＴＡ７からＴＡ１６は受動的タイミングアドバンスとして識別されることができる。
【００３６】
ステップ４０８において、本願方法の流れ図［４００］は、能動的タイミングアドバンスにおける動作可能なユーザ装置の合計および受動的タイミングアドバンス中の無効な（すなわち非動作ユーザ装置）の合計を決定することができる。図２の例示的なグラフからの同じ例にしたがって、ＴＡ１は１つの動作可能なユーザ装置の数を有し、ＴＡ２は１００個の動作可能なユーザ装置の数を有し、ＴＡ３は２００の使用可能なユーザ装置の数を有し、ＴＡ４は４００の使用可能なユーザ装置の数を有し、ＴＡ５は６００の使用可能なユーザ装置の数を有し、そしてＴＡ６はおよそ１００の使用可能なユーザ装置の数を有する。そして、ＴＡ７からＴＡ１６まで、ゼロ動作状態のユーザ装置のカウント、すなわち合計１０の無効カウントが報告された可能性がある。
【００３７】
ステップ４１０において、本願方法の流れ図［４００］は、能動的タイミングアドバンスにおける動作可能なユーザ装置の合計を動作可能なユーザ装置の許容範囲と比較すること、および、受動的タイミングアドバンスにおけるにおける無効（すなわち、動作していないユーザ装置）の合計を許容無効数閾値と比較することのうちの少なくとも１つを行うことができる。図２の例示的なグラフからの同じ例によれば、ＴＡ１からＴＡ４は少なくとも１つのセルの事前定義されたカバレッジ範囲［１０４］に存在し、ＴＡ５からＴＡ２１は、少なくとも１つのセル［１０２］のオーバーシュート範囲［１０６］に存在し得る。最適化ユニットは、オーバーシュート範囲［１０６］内における、タイミングアドバンス［ＴＡ５−ＴＡ６］の動作可能なユーザ装置の合計（すなわち、ＴＡ５からの６００の動作可能なユーザ装置およびＴＡ６からの１００の動作可能なユーザ装置の合計７００の動作可能なユーザ装置）を、動作可能なユーザ装置の許容範囲（ある場合には、４００と見なされ得る）と、比較することができる。同様に、最適化ユニットは、オーバーシュート範囲内の総無効数（すなわち１０）［１０６］を許容無効数閾値と比較することができる（一例では、５と見なすことができる）。
【００３８】
本願方法の流れ図［４００］が、動作可能なユーザ装置の合計を動作可能なユーザ装置の許容範囲と比較すること、および、無効の合計を許容無効数閾値と比較することのうちの少なくとも１つを行った後に、方法フロー図［４００］は、動作可能なユーザ装置の合計のうちの少なくとも１つが、動作可能なユーザ装置の許容範囲を超える／下回り、無効の合計が許容無効数閾値を上回る／下回る場合に、少なくとも１つのセル［１０２］を少なくとも１つのオーバーシュートセルとしてさらに識別することができる。考慮される例では、７００個の動作可能なユーザ装置の合計が４００個の動作可能なユーザ装置の許容範囲を超えるので、少なくとも１つのセル［１０２］を少なくとも１つのオーバーシュートセルとして識別することができる。同様に、合計１０個の無効数は、５の許容無効数閾値を超えているため、少なくとも１つのセル［１０２］をオーバーシュートセルと見なす。
【００３９】
ステップ４１２において、本願方法の流れ図［４００］は、少なくとも１つのオーバーシュートセルのカバーエリア［１０２］を変更するために少なくとも１つの送信パラメータを修正することができる。送信パラメータは、少なくとも１つのオーバーシュートセル［１０２］のカバレッジ範囲［１０４、１０６］に対応する送信電力値、基準信号電力値、および電気的傾斜角値のうちの少なくとも１つを含む。最適化ユニット［３０６］は、式ＥＴｉｌｔにおけるデルタ＝−（ＡＴＡＮ（（Ｈ１−Ｈ２）／ＯＤ）−ＡＴＡＮ（（Ｈ１  −Ｈ２）／ＣＲ））を使用することによって、少なくとも１つのセル［１０２］の電気的傾斜角の値における修正を計算することができる。ここでＨ１は少なくとも１つのオーバーシュートセル［１０２］の送信機の高さであり得、Ｈ２は少なくとも１つのオーバーシュートセルの受信機の高さ［１０２］であり得、ＯＤはオーバーシュート範囲［１０６］であり得、そして、ＣＲは提案されるカバレッジ変更であり得る。さらに、特に、カバレッジが密集した都市／都市環境におけるシナリオとオーバーラップする場合には、基準信号送信電力の低減は、少なくとも１つのオーバーシュートセル［１０２］のカバレッジを制御するための別の最適化方法として使用され得る。そして、本願方法はステップ４１４［４００］で終了する。
【００４０】
本願発明はさらに、形態学的オーバーシュート識別のうちの１つを使用して少なくとも１つのオーバーシュートセル［１０２］を自動的に識別するための最適化ユニット［３０６］、アイランド・オーバーシュートの識別、自動セル範囲ベースのオーバーシュートの識別、オーバーシュートの識別に基づく地理的位置の測定イベントを容易にする。識別システムおよび方法の各々についての詳細は以下に提供される。
【００４１】
図５に示すように、形態に基づくオーバーシュート識別に関する本願発明の一実施形態によれば、本願発明は、少なくとも１つのオーバーシュートセル［１０２］の自動識別および最適化のための例示的な方法の流れ図［５００］を示す。
【００４２】
形態学的オーバーシュート識別は、カバーされた形態に基づいて所定のカバレッジ範囲［１０４］をオーバーシュートする少なくとも１つのオーバーシュートセル［１０２］を識別することに基づくことができる。例えば、密集した市街地にあるセルは、３００ｍを超えるセル範囲／距離をカバーするとは期待されない。形態学的オーバーシュート識別はさらに、各タイミングアドバンスに対するＯＳＳカウンタに基づくことができる。
【００４３】
形態学的オーバーシュート識別については、入力ユニット［３０４］は、少なくとも１つのセルのタイミングアドバンス分布［１０２］、少なくとも１つのセルの形態タイプ［１０２］、形態タイプに基づく少なくとも１つのセル［１０２］の所定のカバレッジ範囲［１０４］、および動作可能なユーザ装置の許容範囲に関するパラメータを受信するように構成されることができる。入力ユニット［３０４］はパラメータを最適化ユニット［３０６］に送信し、方法フロー図［５００］はステップ５０２で開始する。
【００４４】
ステップ５０４において、本願方法の流れ図［５００］は、第１のタイミングアドバンス（すなわち、少なくとも１つのセル［１０２］から７８メートル）から開始して動作可能なユーザ装置が出現する定義されたカバレッジ範囲［１０４］内の最後のタイミングアドバンスまで動作可能なユーザ装置の合計を決定することができる。ステップ５０６において、本願方法の流れ図［５００］は、最後のタイミングアドバンスから、少なくとも１つのセル［１０２］によって覆われる領域の形態に基づいて、オーバーシュート範囲内の動作可能なユーザ装置の合計［１０６］を決定することができる。オーバーシュート範囲内のそのような動作するユーザ装置［１０６］は、オーバーシュートが疑われるユーザ装置と呼ばれることがある。
【００４５】
ステップ５０８において、本願方法の流れ図［５００］は、動作可能な全ユーザ装置のうち、オーバーシュートが疑われるユーザ装置の割合が、動作可能なユーザ装置の許容範囲を超えている場合には、少なくとも１つのセル［１０２］をオーバーシュートセル［１０２］として識別することができる。本願方法の流れ図［５００］はステップ［５１０］で終了する。
【００４６】
図６に示すように、アイランド・ベースのオーバーシュート識別に関する本願発明の一実施形態によれば、本願発明は、少なくとも１つのオーバーシュートセル［１０２］の自動識別および最適化のための例示的な方法の流れ図［６００］を示す。アイランド・オーバーシュート識別のために、入力ユニット［３０４］は、少なくとも１つのセルのタイミングアドバンス分布［１０２］、少なくとも１つのセルの形態タイプ［１０２］受動的タイミングアドバンスにおける許容無効カウント閾値、動作可能なユーザ装置の許容範囲、および、動作していないユーザ装置に関するパラメータを受け取るように構成されることができる。入力ユニット［３０４］はパラメータを最適化ユニット［３０６］に送信し、本願方法の流れ図［６００］はステップ６０２で開始する。
【００４７】
ステップ６０４において、本願方法の流れ図［６００］は、第１のタイミングアドバンス（すなわち、少なくとも１つのセルから７８メートルのところ）から開始し、動作可能なユーザ装置が現れる定義済みカバレッジ範囲内の最後のタイミングアドバンスまでの動作可能なユーザ装置の合計を決定することができる［１０２］。
【００４８】
ステップ６０６において、本願方法の流れ図［６００］は、受動的タイミングアドバンスにおいて第１の無効をスクリーニングした後に無効の合計を決定することができる。
【００４９】
ステップ６０８において、本願方法の流れ図［６００］は、無効の合計が所定の閾値を超えた場合に、その無効をオーバーシュート無効として追加することができる。
【００５０】
ステップ６１０において、本願方法の流れ図［６００］は、オーバーシュート無効のパーセンテージが許容無効数閾値を超える場合に、少なくとも１つのセル［１０２］をオーバーシュートセル［１０２］として識別することができる。本願方法の流れ図［６００］はステップ［６１２］で終了する。
【００５１】
図７に示すように、本願発明は、少なくとも１つのオーバーシュートセル［１０２］の自動識別および最適化のための例示的な方法の流れ図［７００］を示す。本願発明の一実施形態によれば、セル範囲ベースのオーバーシュート計算に関する。
【００５２】
自動セル範囲ベースのオーバーシュート識別のために、入力ユニット［３０４］は、少なくとも１つのセル［１０２］のタイミングアドバンス分布、少なくとも１つのセル［１０２］の形態タイプ、許容無効数閾値、動作可能なユーザ装置の許容範囲、受動的タイミングアドバンスにおける動作していないユーザ装置、および、緯度／経度および方位角を有するセルサイトデータベースに関するパラメータを受信するように構成されることができる。入力ユニット［３０４］はパラメータを最適化ユニット［３０６］に送信し、本願方法の流れ図［７００］はステップ７０２で開始する。
【００５３】
ステップ７０４おいて、本願方法の流れ図［７００］は、少なくとも１つのセル［１０２］方位を中心方位として有する、すなわち、少なくとも１つのセル［１０２］の方位の両側で＋１０５度と、−１０５度との範囲を考慮する、少なくとも１つのセル［１０２］の周りの２１０度のスパンを考慮することができる。
【００５４】
ステップ７０６において、本願方法の流れ図［７００］は、スパンをＸ個の円錐形領域に分割し、各円錐形領域は（２１０／Ｘ）度以内の領域をカバーする。
【００５５】
ステップ７０８において、本願方法の流れ図［７００］は、各弧に入る最も近いセルを決定することができる。
【００５６】
ステップ７１０において、本願方法の流れ図［７００］は、少なくとも１つのセル［１０２］と各弧に入る最も近いセルとの間の距離を測定することができる。
【００５７】
ステップ７１２において、本願方法の流れ図［７００］は、平均距離＝（すべての最も近いセルの距離の合計）／（各円弧に入る最も近いセルの数）のように、すべての測定距離の平均を決定することができる。
【００５８】
ステップ７１４において、本願方法の流れ図［７００］はセル範囲を平均測定距離の７０％とみなし、計算されたセル範囲を考慮して少なくとも１つのオーバーシュートセル［１０２］を特定することができる。本願方法の流れ図［７００］はステップ［７１６］で終了する。
【００５９】
図８に示されるように、オーバーシュート識別に基づく地理的位置の測定イベントに関する本願発明の一実施形態によれば、本願発明は、少なくとも１つのオーバーシュートセル［１０２］の自動識別および最適化のための例示的な方法の流れ図［８００］を示す。
【００６０】
オーバーシュート識別に基づく地理的位置測定イベントについては、入力ユニット［３０４］は、少なくとも１つのセル［１０２］のタイミングアドバンス分布に関するパラメータ、少なくとも１つのセルの形態タイプ［１０２］、許容無効カウント閾値、動作可能なユーザ装置の許容範囲、ｅＮｏｄｅＢまたは少なくとも１つのセル［１０２］からの地理的位置測定イベントログ、トレースレコード、広範なドライブテストログファイル、および、ネットワーク全体のセルデータベースを受信するように構成されることができる。入力ユニット［３０４］はパラメータを最適化ユニット［３０６］に送信し、本願方法の流れ図［８００］はステップ８０２で開始する。
【００６１】
ステップ８０４において、本願方法の流れ図［８００］は、カバレッジエリア［１０４、１０６］をＰ×Ｐメートルのグリッドに分割することができ、各グリッドは基準信号受信電力（以下、ＲＳＲＰと呼ぶ）、および、測定イベントデータおよび／またはドライブテストデータから得られる信号対干渉雑音比（以下、ＳＩＮＲと称する）サンプルを有する。
【００６２】
ステップ８０６において、本願方法の流れ図［８００］は、少なくとも１つのセル［１０２］の地理的位置測定サンプルを各グリッドに分配することができる。
【００６３】
ステップ８０８において、本願方法の流れ図［８００］は、グリッドを、粒度「Ｐ」メートルの列を有する列に、考慮中の少なくとも１つのセル［１０２］からの動作可能なユーザ装置の数を有するｎ番目の列まで分散させることができる。
【００６４】
ステップ８１０で、本願方法の流れ図［８００］は、第１列から（すなわち、少なくとも１つのセル［１０２］からの「Ｐ」メートルで）動作可能なユーザ装置が現れる最後の列「ｎ」まで，動作可能なユーザ装置の合計を決定することができる。
【００６５】
ステップ８１２において、本願方法の流れ図［８００］は、計画ツールから導出された形態に基づくカバレッジ範囲を満たす最後の組のグリッドに対応する列「ｍ」を見つけることができる。
【００６６】
ステップ８１４において、本願方法の流れ図［８００］は、（ｍ＋１）番目の列から、少なくとも１つの領域によって覆われる領域の形態に基づいて、オーバーシュート範囲内の動作可能なユーザ装置の合計［１０６］を決定することができる。１セル［１０２］。オーバーシュート範囲内のそのような動作するユーザ装置［１０６］は、オーバーシュートが疑われるユーザ装置と呼ぶことができる。
【００６７】
ステップ８１６において、方法フロー図［８００］は、疑いのあるオーバーシュートしているユーザ装置の割合がある場合に、少なくとも１つのセル［１０２］を、動作可能なユーザ装置全体のうち、動作可能なユーザ装置の許容範囲を超えているオーバーシュートセル［１０２］として識別することができる。本願方法の流れ図［８００］はステップ［８１８］で終了する。
【００６８】
図９に示すように、オーバーシュート識別に基づく異なる地理的位置の測定イベントに関する本願発明の一実施形態によれば、本願発明は、少なくとも１つのオーバーシュートセル［１０２］の自動識別および最適化のための例示的な方法の流れ図［９００］を示す。本願方法の流れ図［９００］はステップ９０２で開始する。
【００６９】
ステップ９０４において、本願方法の流れ図［９００］は、カバレッジエリア［１０４、１０６］をＰ×Ｐメートルのグリッドに分割することができ、図１０に示すように、各グリッドが、ＲＳＲＰ／ＳＩＮＲ／チャネル品質インジケータ（ＣＱＩ）／変調、および、測定イベントデータおよび／または走行試験データから得られた符号化方式（ＭＣＳ）サンプルを有する。
【００７０】
ステップ９０６で、本願方法の流れ図［９００］は、図１０に示すように、少なくとも１つのセルの地理的位置測定サンプル［１０２］を各グリッドに分配することができる。  
【００７１】
ステップ９０８において、本願方法の流れ図［９００］は、グリッドを、粒度「Ｐ」メートルの列を有する列に、考慮中の少なくとも１つのセル［１０２］からの動作可能なユーザ装置の数を有するｎ番目の列まで分散させることができる。
【００７２】
ステップ９１０において、本願方法の流れ図［９００］は、各グリッドについて、グリッド「Ｒ」のＲＳＲＰのｎ番目のパーセンタイル値およびそのグリッドに現れるＲＳＲＰ「ｒ」の平均値を計算することができる。
【００７３】
ステップ９１２において、本願方法の流れ図［９００］は、少なくとも１つのセル［１０２］について、オペレータによって構成可能なオフセット「ｈ」ｄＢｍだけグリッド値「Ｒ」よりも大きい「ｒ」を有するグリッドの数を計算することができる。。計画ツールから導出されたセルカバレッジ範囲［１０４、１０６］に等しい距離から始めて、そのような計算は、少なくとも１つのセル［１０２］から、（設定可能な）グリッドの「Ｘ％」が、オフセット「ｈ」ｄＢｍだけグリッドＲＳＲＰ「Ｒ」よりも大きいＲＳＲＰを持つことが、満たされなくなるまで「Ｐ」メートルの粒度で行われ得る。
【００７４】
ステップ９１４において、方法フロー図［９００］は、すべてのグリッドが上記の条件を満たす場合に、検討中の少なくとも１つのセル［１０２］を支配的なサーバと見なすことができる。
【００７５】
ステップ９１６において、本願方法の流れ図［９００］は、少なくとも１つのセル［１０２］について、Ｒよりも小さいｒ１を有するグリッドの数を計算することができる。良好なカバレッジ限界に等しい距離から開始する。そのような計算は、少なくとも構成可能な「Ｙ％」のグリッドがＲ未満のＲＳＲＰｒを満たすまで、および動作可能なユーザ装置の合計の「Ｚ％」が考慮されるまで行われ得る。上記の条件を満たすグリッドは、支配的なサーバーとして検討されていない可能性がある。
【００７６】
ステップ９１８において、本願方法の流れ図［９００］は、ステップ９１２で説明したように条件「Ｙ％」が満たされる最後の列「ｃ２」からオーバーシュート範囲［１０６］（「ｃ２」×「Ｐ」メートル）を定義することができる。考慮中の少なくとも１つのセルからのかなりの数の動作可能なユーザ装置を有する最後の列［１０２］は、「ｃ３」としてマークされ得る。
【００７７】
ステップ９２０において、方法フロー図［９００］は、「Ｙ％」の条件が最後の有意な列「ｎ」まで満たされない場合に、少なくとも１つのセル［１０２］を望ましい／良いオーバーシュートセル［１０２］として識別することができる。ここで、望ましい／良好なオーバーシュートセル［１０２］は、事前定義されたカバレッジ範囲［１０４］を超えてオーバーシュートすることがあるが、望む／良いオーバーシュートセル［１０２］で覆われているカバレッジ範囲［１０４、１０６］内に他の優勢なサーバがないため制限されないことがある。上記で指定された条件を満たす、他のオーバーシュートが疑われるセルは、不要／不良のオーバーシュートセルに分類される可能性がある。本願方法の流れ図［９００］はステップ［９２２］で終了する。
【００７８】
本明細書で使用されるとき、ＲＳＲＰは、少なくとも１つのセルによって送信された無線信号における電力レベルの測定値であり得る。
【００７９】
本明細書で使用されるように、ＲＳＲＱは、少なくとも１つのセルによって送信された無線信号ｔの品質の測定値であり得、少なくとも１つのセルの選択および／または再選択のために使用され得る。さらに、ＲＳＲＱは、ユーザ装置のハンドオーバを実行し、電力制御計算のために経路損失を推定するために使用され得る。
【００８０】
本明細書で使用されるとき、ＳＩＮＲは、少なくとも１つのセルに対するチャネル容量の量を指すことができる。
【００８１】
本明細書で使用されるように、ＣＱＩは、信号／情報を送信するための無線チャネルの品質／状態を示すことができる。無線チャネルの状態は、信号／情報を送信するのに良好であり得るか、または無線チャネルの状態は、信号／情報を送信するのに不良であり得る。
【００８２】
本明細書で使用されるとき、ＭＣＳは、無線チャネルにおいて信号／情報を送信するためのデータレートを決定するために使用されることができ、また信号／情報を送信するために使用される変調方式のタイプを示すこともできる。
【００８３】
図面に示され、本明細書に記載されたユニット、インターフェース、モジュール、および構成要素は、ハードウェア、ソフトウェア、およびそれらの組み合わせの形で存在し得る。例示的シナリオ［１００Ａ、１００Ｂ］およびシステム［３００］においてこれらのユニット／構成要素／モジュール／インターフェース間に示される接続は例示的である。システム［３００］内の任意のユニット／構成要素／モジュール／インターフェースは、様々な論理リンクおよび／または物理リンクを介して互いに対話することができる。さらに、ユニット／構成要素／モジュール／インターフェースは他の可能な方法で接続されてもよい。
【００８４】
限られた数の少なくとも１つのセル／オーバーシュートセル［１０２］であるが、第１のセットのユーザ装置［１０４Ａ−１０４Ｇ］は、所定のカバレッジ範囲内にある［１０４］。オーバーシュート範囲［１０６］内の第２の組のユーザ装置［１０６Ａ−１０６Ｆ］、タイミングは所定の有効範囲範囲［１０４］内で進む。オーバーシュート範囲［１０６］、ユニット、インターフェース、モジュールおよび構成要素におけるタイミングの進みが図に示されている。しかし、本願発明の例示的なシナリオ［１００Ａ、１００Ｂ］およびシステム［３００］は、任意の数および、少なくとも１つのセル／オーバーシュートセル［１０２］、第１のセットのユーザ装置［１０４Ａ−１０４Ｇ］は所定のカバレッジ範囲内［１０４］、第２のセットのユーザ装置［１０６Ａ−１０６Ｆ］はオーバーシュート範囲内  ［１０６］、タイミングは事前に定義されたカバレッジ範囲内で進み［１０４］、タイミングはオーバーシュート範囲内で進み［１０６］、ユニット、インターフェース、モジュールおよびコンポーネントなどの種々のタイプのエンティティ／要素を含むことを当業者は理解する。
【００８５】
本明細書では開示された実施形態にかなりの重点が置かれているが、多くの実施形態がなされ得、そして多くの変更がなされ得ることが理解される。本願発明の原理から逸脱することなく、これらの実施形態に変更を加えることができる。本願発明の実施形態におけるこれらおよび他の変更は当業者には明らかであり、それにより実施されるべき前述の記述事項は例示的かつ非限定的であることが理解されるべきである。
【図１Ａ】
2019533939.tif 000003
【図１Ｂ】
2019533939.tif 000004
【図２】
2019533939.tif 000005
【図３】
2019533939.tif 000006
【図４】
2019533939.tif 000007
【図５】
2019533939.tif 000008
【図６】
2019533939.tif 000009
【図７】
2019533939.tif 000010
【図８】
2019533939.tif 000011
【図９】
2019533939.tif 000012
【図１０】
2019533939.tif 000013
【国際調査報告】
2019533939.tif 000014
2019533939.tif 000015